(57)【特許請求の範囲】
【請求項１】
相反する正極性および負極性の第１信号のいずれかを送る３本１組の第１の信号線と、該第１信号とは位相が異なる、相反する正極性および負極性の第２信号のいずれかを送る３本１組の第２の信号線とを備え、第１の各信号線の間に第２の信号線の１本ずつが挟まれ、両端を除く中間の各信号線を挟む両側の信号線が、相互に極性の相反するものである配線構造。
【請求項２】
相反する正極性および負極性の第１信号のいずれかを送る６本１組の第１の信号線と、該第１信号とは位相が異なる、極性の相反する第２信号を送る２本１組の第２の信号線と、該第１信号および該第２信号とは位相が異なる、極性の相反する第３信号を送る２本１組の第３の信号線とを備え、並設された６本１組の第１の信号線の半分の各々で挟まれた部分に第２の信号線の１本ずつが挟まれ、この半分の第１の信号線の両端を除く中間の各信号線を挟む両側の信号線が、相互に極性の相反するものであり、また、該第１の信号線の残りの半分の各々で挟まれた部分に第３の信号線の１本ずつが挟まれ、この残り半分の第１の信号線の両端を除く中間の各信号線を挟む両側の信号線が、相互に極性の相反するものである配線構造。
【請求項３】
位相の異なる４以上の信号であって、相反する正極性および負極性の第１信号のいずれかを送る信号線を４組以上備え、各信号線が、請求項１の配線構造と請求項２の配線構造とを組み合せて配置されている配線構造。
【請求項４】
前記信号線を形成する層と、該信号線とは異なる配線とが交差して設けられ、その交差部で信号保持用の容量が形成されている請求項１乃至３のいずれか一つに記載の配線構造。
【請求項５】
請求項１乃至４のいずれか一つに記載の配線構造が、マトリクス状に配された絵素と、表示データ用のデータドライバと、該絵素をスキャンする為のスキャンドライバとを備える画像表示装置における、各ドライバを駆動する複数の信号線に対して設けられている配線構造をもつ画像表示装置。
【発明の詳細な説明】
【０００１】
【発明の属する技術分野】
本発明は、たとえば表示媒体に液晶を用いた液晶表示装置などの画像表示装置および、その画像表示装置の配線構造に関する。
【０００２】
【従来の技術】
上述した液晶表示装置は、従来、図１０に示すように構成されたものが知られている。この液晶表示装置は、液晶表示パネル１と、データドライバ２とから構成されている。データドライバ２は、複数のシフトレジスタ回路３と、各シフトレジスタ回路３に一端が接続された複数のシフトレジスタ出力ライン３ａとを備える。各シフトレジスタ出力ライン３ａには、アナログスイッチであるサンプリングトランジスタ５が接続されている。
【０００３】
各サンプリングトランジスタ５は、シフトレジスタ回路３からの出力信号により制御されて２端子間がオン・オフされる。その２端子の一方の端子には、ビデオ信号入力用バスライン６、７のいずれか一つが接続され、他方の端子にはサンプリングコンデンサ（Ｃｓ）８及びトランスファトランジスタ９の片方の端子が接続される。トランスファトランジスタ９の全てのゲート端子にはトランスファ信号が入力される。また、トランスファトランジスタ９のもう一方の端子には、信号配線４を介して、アナログバッファ１０及びトランスファコンデンサ（Ｃｔ）１１が接続されている。
【０００４】
図１０に示すように、並列に並んだ各サンプリングコンデンサ（Ｃｓ）８は、水平期間の間、ビデオ信号を蓄積する。その後、次段のトランスファトランジスタ９が一斉にＯＮし、サンプリングコンデンサ８に蓄積されたデータは、一度にトランスファコンデンサ（Ｃｔ）１１に蓄えられ、次のアナログバッファ１０に出力される。アナログバッファ１０の出力は表示用バスライン１２を介して、液晶表示パネル１へ出力される。このとき、トランスファトランジスタ９がオンとなって、サンプリングコンデンサ８からのデータをトランスファコンデンサ（Ｃｔ）１１に蓄えるためには、サンプリングコンデンサ（Ｃｓ）８はトランスファコンデンサ（Ｃｔ）１１より十分大きな容量でなくてはならず、少なくともＣｓ≧１０×Ｃｔの関係が必要である。
【０００５】
一方、液晶表示パネル１は、上述した表示用バスライン１２と、この表示用バスライン１２に交差する状態に配線されたスキャン用バスライン１３とを備える。表示用バスライン１２とスキャン用バスライン１３とで囲まれた領域には絵素電極１４が設けられ、表示用バスライン１２と絵素電極１４との間にはアナログスイッチである薄膜トランジスタ１５が設けられ、これらで絵素が構成されている。バスライン１３はスキャンドライバ２０に接続されている。
【０００６】
ところで、駆動能力が小さいトランジスタでアナログスイッチを構成した場合、サンプリングコンデンサ８にビデオ信号の情報を書き込む時間が不足する可能性が生じる。この問題を解決するために、図１０の従来例の場合には、例えばシフトレジスタ回路３をＳＲＡとＳＲＢとを備える２系列にし、また、サンプリングするアナログスイッチであるサンプリングトランジスタ５を２個ずつ同一系列のシフトレジスタＳＲＡ、ＳＲＢに接続させる構成をとっている。この構成では、２個のシフトレジスタＳＲＡ、ＳＲＢは、本来の２分の１の動作周波数で、それぞれ少しずつ位相をずらしたクロック信号ＣＫＡ，ＣＫＡバー及びＣＫＢ，ＣＫＢバーによって駆動されており、それにより、駆動能力の小さい薄膜トランジスタにおいても、十分な書込みが可能となっている。
【０００７】
【発明が解決しようとする課題】
ところが、図１０に示すように単純にサンプリングトランジスタ５を並べると、複数のクロック信号のそれぞれは位相が少しずつずれているので、クロック信号がより複数になった場合、図１１のタイミング図に示すように、隣接する配線間で、点線にて示す三角形のパルスが重畳するという欠点があった。これは、クロックの立ち上がり、および立ち下がりの部分では特に高調波成分を含んでいることから線間の結合容量が強くなり、クロストークを起こすためである。また、この不要成分のパルスがドライバの動作を不安定にする原因にもなっている。
【０００８】
そこで、この問題を解決すべく、図１２に示すように、各信号線の間にガードとなるべく配線を通し、その配線を低インピーダンスに接続することで容量結合を防止することが考えられる。そのうちの一つとして、隣接するビデオ信号線の間に接地されたガード用配線を通すことで容量結合を防止する提案がなされている（特開平６−１１６８４号）。
【０００９】
しかし、この提案方法では、ビデオ信号線としての配線と配線の間に、新たにガード用配線を通すことになるので、配線スペースが実質的に倍になり、回路の専用面積が増すという欠点が生じた。
【００１０】
また、シフトレジスタを複数系列に分け、クロック信号線を複数にすることは、ビデオ信号線なども複数になるので、以下の欠点をも生じさせる原因となっている。一般に、相違する信号線を配置する場合に、回路面積の有効活用のため、それら信号線を形成する層を２層以上にし、例えば図１０に示すようにアナログバッファ１０の電源線ＶＤＤ、ＶＥＥと信号配線である信号配線４とを互いに交差させたような配置にする。しかし、配置する信号線が複数になると、信号線同士の交差する箇所が増加するので、不要な寄生容量が発生し、信号配線４に接続されるコンデンサ容量値は、トランスファコンデンサ（Ｃｔ）１１と上記寄生容量とを加算した値になる。これにより、前述したＣｓ≧１０×Ｃｔの関係が成り立たなくなり、よって、伝達するデータ信号が減少した信号レベルになり表示品位の低下を招くという欠点があった。
【００１１】
本発明は、このような従来技術の課題を解決すべくなされたものであり、基板占有面積を縮小できる配線構造および画像表示装置を提供することを目的とする。加えて、画像表示装置の表示品位をも向上できる配線構造およびその配線構造を持つ画像表示装置を提供することを目的とする。
【００１２】
【課題を解決するための手段】
本発明の請求項１の配線構造は、相反する正極性および負極性の第１信号のいずれかを送る３本１組の第１の信号線と、該第１信号とは位相が異なる、相反する正極性および負極性の第２信号のいずれかを送る３本１組の第２の信号線とを備え、第１の各信号線の間に第２の信号線の１本ずつが挟まれ、両端を除く中間の各信号線を挟む両側の信号線が、相互に極性の相反するものであり、そのことにより上記目的が達成される。
本発明の請求項２の配線構造は、相反する正極性および負極性の第１信号のいずれかを送る６本１組の第１の信号線と、該第１信号とは位相が異なる、極性の相反する第２信号を送る２本１組の第２の信号線と、該第１信号および該第２信号とは位相が異なる、極性の相反する第３信号を送る２本１組の第３の信号線とを備え、並設された６本１組の第１の信号線の半分の各々で挟まれた部分に第２の信号線の１本ずつが挟まれ、この半分の第１の信号線の両端を除く中間の各信号線を挟む両側の信号線が、相互に極性の相反するものであり、また、該第１の信号線の残りの半分の各々で挟まれた部分に第３の信号線の１本ずつが挟まれ、この残り半分の第１の信号線の両端を除く中間の各信号線を挟む両側の信号線が、相互に極性の相反するものであり、そのことにより上記目的が達成される。
本発明の請求項３の配線構造は、位相の異なる４以上の信号であって、相反する正極性および負極性の第１信号のいずれかを送る信号線を４組以上備え、各信号線が、請求項１の配線構造と請求項２の配線構造とを組み合せて配置され、そのことにより上記目的が達成される。
本発明の請求項４の配線構造は、請求項１乃至３のいずれか一つに記載の配線構造であって、前記信号線を形成する層と、該信号線とは異なる配線とが交差して設けられ、その交差部で信号保持用の容量が形成され、そのことにより上記目的が達成される。
本発明の請求項５の画像表示装置は、請求項１乃至４のいずれか一つに記載の配線構造が、マトリクス状に配された絵素と、表示データ用のデータドライバと、該絵素をスキャンする為のスキャンドライバとを備える画像表示装置における、各ドライバを駆動する複数の信号線に対して設けられ、そのことにより上記目的が達成される。
以下に、本発明の作用につき説明する。
請求項１にあっては、第１の各信号線の間に第２の信号線の１本ずつが挟まれ、両端を除く中間の各信号線を挟む両側の信号線が、相互に極性の相反するものである。よって、間に挟まれた信号線は、その両側から容量結合によるクロストークを受けるが、挟む側の一方の信号線に基づくクロストークは、他方の信号線に基づくクロストークと相殺される。このとき、端となる信号線を２本追加すると、その２本の信号線で挟まれている総ての信号線でクロストークの軽減がなされる。
請求項２にあっては、並設された６本１組の第１の信号線の半分の各々で挟まれた部分に第２の信号線の１本ずつが挟まれ、この半分の第１の信号線の両端を除く中間の各信号線を挟む両側の信号線が、相互に極性の相反するものであり、また、該第１の信号線の残りの半分の各々で挟まれた部分に第３の信号線の１本ずつが挟まれ、この残り半分の第１の信号線の両端を除く中間の各信号線を挟む両側の信号線が、相互に極性の相反するものである。よって、第１の信号線の半分と残りの半分との両方において、間に挟まれた信号線は、その両側から容量結合によるクロストークを受けるが、挟む側の一方の信号線に基づくクロストークは、他方の信号線に基づくクロストークと相殺される。このため、３組の互いに極性が相反する信号線について、少ない配線の追加で、互いの線間のクロストークを軽減できる。
請求項３にあっては、４組以上の互いに極性が相反する信号線を備える場合にも、少ない配線の追加で、互いの線間のクロストークを軽減できる。
請求項４にあっては、信号線を形成する層と、該信号線とは異なる配線とが交差して設けられ、その交差部で信号保持用の容量が形成される。よって、コンデンサの形成箇所の削減ができ、基板占有面積の縮小を図ることができる。
請求項５にあっては、上述の配線構造が画像表示装置の信号線に対して設けられている。よって、基板占有面積の縮小と表示品位の向上を図ることができる。
本発明にあっては、極性が相反する信号を送る正極性の信号線と負極性の信号線とが、信号線とは異なる１以上の配線を挟んで並設配置される。よって、信号線が受けるクロストークを、信号線とは異なる１以上の配線が軽減させ、かつ、信号線の特性改善を図ることができる。
本発明にあっては、データドライバおよびスキャンドライバの少なくとも一方に設けられたシフトレジスタを挟んで両側に、極性の相反する信号を送る正極性の信号線と負極性の信号線とが配置される。よって、互いに極性が相反する信号線同士が交差する箇所を減少させ、互いの信号線間のクロストークの軽減と、該信号線の特性改善を図ることができる。
【００２７】
【発明の実施の形態】
以下に本発明の実施形態を具体的に説明する。
【００２８】
（第１の実施形態）
本発明の第１の実施形態を図１によって説明する。
【００２９】
図１は、２組の極性が互いに相反する信号線（あるいは、逆位相関係にある信号線）を図示した順に並べたときの波形図である。この図において、２組の極性が互いに相反する信号線とは、一方は２本の信号線Ａと１本の信号線Ａバーとからなる第１組の信号線であり、もう一方は１本の信号線Ｂと２本の信号線Ｂバーとからなる第２組の信号線である。また、信号線Ａ、Ａバーの組と信号線Ｂ、Ｂバーの組とは、図示するように１／４半波長分位相がずれた波形となっている。この実施形態においては、極性が相反する第２組の信号線Ｂ、Ｂバーの１つである信号線Ｂを、もう一方の極性が相反する第１組の信号線Ａ、Ａバーで挟むように配置する（波形２、３および４参照）。また、残りの信号線Ｂバーは、信号線Ｂとで信号線Ａバーを挟むように配置する（波形５参照）。更に、信号線Ａの外側に信号線Ｂバーを、信号線Ｂバーの外側に信号線Ａを、各々ダミー信号線として設けている。すなわち、相反する正極性および負極性の第１信号のいずれかを送る３本１組の第１の信号線と、該第１信号とは位相が異なる、相反する正極性および負極性の第２信号のいずれかを送る３本１組の第２の信号線とを備え、第１の各信号線の間に第２の信号線の１本ずつが挟まれ、両端を除く中間の各信号線を挟む両側の信号線が、相互に極性の相反するものであるという配線構造となっている。
【００３０】
このような配線構造にすることにより、信号線Ｂ（波形３）は、両側に極性の相反する信号線Ａ（波形２）と、信号線Ａバー（波形４）とによって挟まれる。また、信号線Ａバー（波形４）も同様に、極性の相反する信号線Ｂ（波形３）と信号線Ｂバー（波形５）とによって挟まれる。ここで、以上で説明した信号線の配列を順に並べると、Ａ→Ｂ→Ａバー→Ｂバーとなる。
【００３１】
信号線Ａ（波形２）とＡバー（波形４）とで挟まれた信号線Ｂ（波形３）と、信号線Ｂ（波形３）とＢバー（波形５）とで挟まれた信号線Ａバー（波形４）は、両側に極性の相反する信号線が配置される。よって、両側からの容量結合によるクロストークは図に示す点線の菱形のようになるので、クロストーク成分は上下に発生し、互いに打ち消し合うこととなる。以上が波形２から５の配置の説明である。
【００３２】
次に、波形１と波形６の説明をする。信号線Ｂバー（波形１）のない状態では、波形２は波形３より容量結合によるクロストークを受ける。また、信号線Ａ（波形６）のない状態では、波形５は波形４より容量結合によるクロストークを受ける。そこで、本実施形態では、信号線Ｂ（波形３）と極性の相反する信号線Ｂバー（波形１）をダミー信号線として設け、これにより波形２が受ける容量結合を打ち消すことが可能となっている。同様に、信号線Ｂバー（波形５）が隣の信号線Ａバー（波形４）より容量結合によるクロストークを受けるので、信号線Ａバー（波形４）と極性の相反する信号線Ａ（波形６）をダミー信号線として設け、これにより波形５が受ける容量結合を打ち消すことができる。その結果、波形２と波形５とが受ける容量結合の影響を打ち消せることが可能となる。
【００３３】
したがって、本実施形態による場合には、新たな信号線として、ダミー信号線を両側に２本設けるだけで、すべてのクロストークの影響を軽減することができる。また、両側にダミー配線を設けるので、外部との干渉の軽減も可能となる。なお、本実施形態においては各信号線の配線構造を図１に限定するものではなく、当然、上述したように両側の信号線で容量結合の影響を打ち消せることができる配線構造であれば、信号線の順番は入れ換わってよいのは言うまでもない。たとえば、図１では信号線Ｂバーが信号線Ｂとで信号線Ａバーを挟むように配置しているが、当然のごとく信号線Ｂバーが信号線Ｂとで信号線Ａを挟むような逆配置でも構わない。
【００３４】
（第２の実施形態）
次に、第２の実施形態を図２を用いて説明する。本実施形態は、互いに極性が相反する３組の信号線を備える場合である。
【００３５】
図２においては、互いに極性が相反する３組の信号線としては、各１本の信号線Ａ、Ａバーの組を第１組とし、かつ２本の信号線Ｂ、Ｂバーの組を第２組とし、各１本の信号線Ｃ、Ｃバーの組を第３組としている。信号線Ａ、Ａバーの組と、信号線Ｂ、Ｂバーの組と、信号線Ｃ、Ｃバーの組とは、それぞれ１／４半波長ずつ位相がずれている波形である。ここで、説明の理解を容易にすべく、極性について、信号線Ａ、Ｂ、Ｃを正極性に、また、信号線Ａバー、Ｂバー、Ｃバーを負極性にする。
【００３６】
本実施形態の配線構造は、極性の相反する３組の信号線のうちの１組を、例えば信号線Ｂ、Ｂバーとすると、この信号線Ｂ及びＢバーで、極性の相反する１組の信号線ＡとＡバーの各々を挟み、更に、信号線Ｂ及びＢバーで、極性の相反するもう１組の信号線ＣとＣバーの各々を挟むようしている。すなわち、相反する正極性および負極性の第１信号のいずれかを送る６本１組の第１の信号線Ｂ、Ｂバーと、該第１信号とは位相が異なる、極性の相反する第２信号を送る２本１組の第２の信号線Ａ、Ａバーと、該第１信号及び該第２信号とは位相が異なる、極性の相反する第３信号を送る２本１組の第３の信号線ＣとＣバーとを備え、並設された６本１組の第１の信号線Ｂ、Ｂバーの半分の各々で挟まれた部分に第２の信号線Ａ、Ａバーの１本ずつが挟まれ、この半分の第１の信号線の両端を除く中間の各信号線を挟む両側の信号線が、相互に極性の相反するものであり、また、該第１の信号線Ｂ、Ｂバーの残りの半分の各々で挟まれた部分に第３の信号線ＣとＣバーの１本ずつが挟まれ、この残り半分の第１の信号線の両端を除く中間の各信号線を挟む両側の信号線が、相互に極性の相反するものである。当然のごとく、信号線Ａ，Ａバーと信号線Ｃ，Ｃバーとは入れ替わった構造であってもよい。
【００３７】
この構造にあっては、ダミー信号線としての信号線Ｂバー（波形１）と信号線Ｂ（波形３）とで挟まれた信号線Ａ（波形２）は、図に三角の点線で示す、容量結合で発生したクロストーク成分である、両側の正極性の信号と負極性の信号とが打ち消し合うこととなる。また、信号線Ａ（波形２）と信号線Ａバー（波形４）とで挟まれた信号線Ｂ（波形３）においても同様であり、信号線Ｂ（波形３）とダミー信号線としての信号線Ｂバー（波形５）とで挟まれた信号線Ａバー（波形４）、ダミー信号線としての信号線Ｂ（波形６）と信号線Ｂバー（波形８）とで挟まれた信号線Ｃ（波形７）、信号線Ｃ（波形７）と信号線Ｃバー（波形９）とで挟まれた信号線Ｂバー（波形８）、および、信号線Ｂバー（波形８）とダミー信号線としての信号線Ｂ（波形１０）とで挟まれた信号線Ｃバー（波形９）においても同様である。
【００３８】
したがって、本実施形態による場合には、極性が相反する信号線を３組備える場合でも、ダミー配線４本で全ての信号線間のクロストークが軽減できる配線構造にすることができる。
【００３９】
なお、本実施形態においては各信号線の配列を図２に限定するものではなく、当然、上述で説明した関係であれば、信号線の順番は入れ換わってよいのは言うまでもない。たとえば、当然のごとく、挟み込むための信号線Ｂ，Ｂバーは、信号線Ａ，Ａバーと、もしくは、信号線Ｃ，Ｃバーと入れ換わってもよいことは言うまでもない。
【００４０】
また、極性の相反する信号線を４組以上備えている場合の配列は、第１の実施形態と第２の実施形態とを組み合わせることにより実現することができる。その組合わせを以下に説明する。
【００４１】
図１３は、極性の相反する信号線を４組備えている場合の配列例である。極性の相反する４組の信号線をＡ、Ａバー、Ｂ、Ｂバー、Ｃ、Ｃバー、Ｄ、Ｄバーとし、それらをＡ、Ａバー、Ｂ、Ｂバーの組と、Ｃ、Ｃバー、Ｄ、Ｄバーの組との２組に分ける。第１の実施形態で説明した２組の信号線の配置した例を、それら２組の信号線の各々に採用し、単純にそれらを並べることにより配置したのが図１３である。
【００４２】
図１４は、極性の相反する信号線を５組備えている場合の配列例である。５組の信号線をＡ、Ａバー、Ｂ、Ｂバー、Ｃ、Ｃバー、Ｄ、Ｄバー、Ｅ、Ｅバーとする。５組の信号線の内３組の信号線をＡ、Ａバー、Ｂ、Ｂバー、Ｃ、Ｃバーとし、また残り２組の信号線をＤ、Ｄバー、Ｅ、Ｅバーとする。最初の３組の信号線の配列は第２の実施形態で示した配置を採用し、残りの２組の配列は第１の実施形態の配列を採用し、それらを単純に並べることにより配置したのが図１４の図である。つまり、４組以上の信号線の組み合わせは、２組あるいは３組以上の組み合わせで構成できるので、図１３、図１４の列の如く配列が可能になる。
【００４３】
以上の配線構造をとることにより、極性の相反する信号の立ち上がり、および立ち下がりの特性がずれた場合においても、立ち下がり、立ち上がり時の信号のなまりの発生を抑えることができる。
【００４４】
また、第１、第２の実施形態で示したダミー配線は、隣の信号線よりクロストークの影響を受けるが、そのクロストーク成分が、実質の信号線に影響を与えない構成を図１５、１６、１７を使って以下に説明する。
【００４５】
図１５は信号線Ａを例にした図である。信号線Ａが何も介さないで表されているのが、信号線Ａの実質の信号線であり、バッファを介して出力されるのが、ダミー配線にあたる。ここで、バッファの特性は、入力のインピーダンスは高く、出力のインピーダンスは低い特性であるので、出力と入力はほぼ分離した構成にすることができ、これより出力で受けたクロストークの影響は実質の信号線Ａに影響を及ぼさない行為とすることが可能となる。
【００４６】
図１６はダイオードを使用した例であり、出力側がダミー配線Ａとなる。この場合も、入力と出力を分離できるので、ダミー配線で影響を受けるクロストークは入力側の実質の信号線Ａに影響を及ぼさない構成とすることが可能になる。
【００４７】
図１７は可変容量ダイオードの例である。可変容量ダイオードは、両端に印加する電圧でその容量値が変化するので、クロストーク量による印加電圧の変加量が、出力で受けるクロストークが入力側に表れないように容量値を選ぶ事により、入力側の実質の信号線Ａの影響を及ぼさないようにすることができる。
【００４８】
以上により、ダミー配線のクロストークの影響が実質の信号線に影響を及ぼさないようにする例を示したが、構成としては、入力と出力とが分離されている構成であれば、回路例としてはこれに限るものではない。
【００４９】
（第３の実施形態）
次に、第３の実施形態を図３、図４、図５、図６によって説明する。
【００５０】
第３の実施形態は、互いに極性が相反する信号線、つまりは正極性の信号線と負極性の信号線とが隣合う配置についてである。
【００５１】
図３は、互いに極性が相反する信号線を、正極性の信号線ＣＫと負極性の信号線ＣＫバーとし、その両方の信号線の間に別の信号線である電源線ＶＤＤを配置した構成を示している。
【００５２】
この配線構成にすることにより、正極性の信号線ＣＫと負極性の信号線ＣＫバーとで挟まれた電源線ＶＤＤは、互いに極性が逆極性であり、かつ、位相が同一の信号線で挟まれる。よって、各々の逆極性の信号線からの容量結合によるクロストーク成分は互いに打ち消しあうこととなる。また、電源線ＶＤＤの両側に配置する逆極性の信号線においては、別の配線である電源線ＶＤＤを間に介して配置されているので、互いにクロストークが起こらない。よって、立ち上がり、立ち下がりの特性改善を図ることができる。
【００５３】
なお、中間に挟まれる信号線としては、上記電源線に限るものではなく、当然のごとくビデオ信号線、または、シフトレジスタを駆動するスタートパルス信号線などでも構わない。
【００５４】
図４は、互いに極性が相反する信号線ＣＫとＣＫバーとが、中間に他の信号線を配置せず、かつ、互いに隣合う配線構造の場合の例を示し、信号線ＣＫとＣＫバーとの外側に、ガードになる線を配置した図である。この配線構造とした場合には、信号線ＣＫおよび信号線ＣＫバーと、外部の他の信号線との容量結合を防ぐことができる。
【００５５】
図５は、互いに極性が相反する信号線が３組以上備えている場合の配線構造を示す図である。この配線構造の場合には、ガードの線を共用化できる。なお、図６は、図５の配置において、ガードの線を省略した場合に、極性の相反する信号線がクロストークの影響を受ける波形図である。
【００５６】
（第４の実施形態）
次に、第４の実施形態を図７、図８を用いて説明する。
【００５７】
第４の実施形態は、ドライバ内のシフトレジスタを駆動する信号線で、互いに極性が相反する信号線の配置を例にした場合である。
【００５８】
図７は、互いに極性が相反する信号線であるクロック信号線ＣＫＡとＣＫＡバーとをシフトレジスタの両側に配置している。この配線構造とすることにより、信号線ＣＫとＣＫバーとが、シフトレジスタの片側に配置する場合よりも、互いの信号線が交差する個数を減らすことができる。また、信号線ＣＫとＣＫバーとの間にシフトレジスタが存在するので、容量結合によるクロストークを軽減できる。
【００５９】
図８は、ドライバ内のシフトレジスタが２系列の場合での配線構造例である。２系列のシフトレジスタＳＲＡとＳＲＢとは、ＳＲＡ１，ＳＲＡ２，…，ＳＲＡｎ，及び、ＳＲＢ１，ＳＲＢ２，…，ＳＲＢｎで構成している。また、ＳＲＡ１，ＳＲＡ２，…，ＳＲＡｎを駆動するクロック信号線をＣＫＡ，ＣＫＡバーとし、またＳＲＢ１，ＳＲＢ２，…，ＳＲＢｎを駆動するクロック信号線をＣＫＢ，ＣＫＢバーとしている。
【００６０】
すなわち、図８の配線構造においては、シフトレジスタＳＲＡのクロック信号線ＣＫＡ，ＣＫＡバーをシフトレジスタＳＲＡの両側に配置し、同様にシフトレジスタＳＲＢのクロック信号線ＣＫＢ，ＣＫＢバーをシフトレジスタＳＲＢの両側に配置している。
【００６１】
この配線構造とした場合は、互いの極性が相反する信号線が交差する箇所は、丸の点線の箇所だけになり、その交差する個数を減少させ得る。よって、容量結合によるクロストークを軽減でき、さらには、互いの立ち上がり、立ち下がりの特性改善を図ることができる。
【００６２】
（第５の実施形態）
次に、第５の実施形態を図９を用いて説明する。
【００６３】
図９は、従来技術を説明すべく用いた図１０におけるデータドライバ２内のトランスファトランジスタ９とアナログバッファ１０に相当する部分である。この図９において、従来技術と相違する点は、図１０においてトランスファトランジスタ９と接続させていたトランスファコンデンサ１１が省略されている点である。そのトランスファコンデンサの代わりに、この図示例では電源線ＶＤＤおよびＶＳＳとの交差部に同コンデンサが形成されている。
【００６４】
また、この図９において、上記トランスファトランジスタ９の一方の端子は前段のサンプリングトランジスタ（図示せず）に接続され、もう一方の端子は、次段のアナログバッファ１０に接続されている。アナログバッファ１０の出力は、表示パネルの表示用バスライン１２に接続されている。
【００６５】
更に、この実施形態においては、トランスファトランジスタ９とアナログバッファ１０とを結ぶ信号配線４を形成する層と、重なり合う層内に形成する配線とを交差した配置としている。
【００６６】
ここで、前記重なり合う層と前記層との間に形成される絶縁層の誘電率をεとし、また、交差する面積をＳ、絶縁層の厚みをｄ、交差する個数をｎとすると、配線ＶＤＤ，ＶＳＳ、及び信号配線４と交差する部分で形成される容量Ｃ１は、下記１式にて示される。なお、εおよびｄは、プロセスで決定される材料と工程で決まる既知の値である。
【００６７】
Ｃ１＝ｎεＳ／ｄ  …（１）
上記１式において、Ｓとｎを選ぶことによって、所望の容量値Ｃ１を得ることができるので、トランスファトランジスタ９とアナログバッファ１０とを結ぶ信号配線４上に、図１０において用いていたトランスファコンデンサ１１を、新たにトランスファコンデンサとして形成する必要がない。これにより、コンデンサを形成することなく、しかも交差部を含めて容量値を形成することができるので、回路スペースの削減と表示品位の向上とを図ることができる。
【００６８】
なお、図９では交差する線を電源線ＶＤＤ，ＶＳＳにしているが、これは、他の信号線、例えば、クロック信号線やビデオ信線などでもよい。但し、時間的にレベルの変動しない配線あるいは、対向電極と同期レベルの変動する配線である方が望ましい。
【００６９】
【発明の効果】
以上説明したごとく、本発明による場合には、寄生容量の発生を、少ない配線の増加で防止できるので、基板占有面積を減小化させ得、また、信号線間のクロストークを軽減させ得る。よって、ドライバの動作を安定に行うことが可能になり、画像表示装置の表示品位を向上できる。また、層間の絶縁膜を考慮し容量設計を行うので、コンデンサの形成箇所を削減し、かつ、回路の基板占有面積の縮小化が図ることができる。
【図面の簡単な説明】
【図１】本発明の第１の実施形態に係る配線構造を示す図である。
【図２】本発明の第２の実施形態に係る配線構造を示す図である。
【図３】本発明の第３の実施形態に係る配線構造を示す図である。
【図４】本発明の第３の実施形態に係る他の配線構造を示す図である。
【図５】本発明の第３の実施形態に係る他の配線構造を示す図である。
【図６】図５の配線構造からガードの線を省略した場合の波形図である。
【図７】本発明の第４の実施形態に係る配線構造を示す図である。
【図８】本発明の第４の実施形態に係る他の配線構造を示す図である。
【図９】本発明の第５の実施形態に係る配線構造を示す図である。
【図１０】従来例の配線構造を組み込んだ液晶表示装置を示す図である。
【図１１】従来例の配線構造における問題説明に用いる図である。
【図１２】従来において提案された配線構造を示す図である。
【図１３】本発明の第２の実施形態において信号線を４組備える場合の配列例を示す図である。
【図１４】本発明の第２の実施形態において信号線を５組備える場合の配列例を示す図である。
【図１５】本発明において、実質の信号線にクロストーク成分が影響を与えない構成例を示す図である。
【図１６】本発明において、実質の信号線にクロストーク成分が影響を与えない他の構成例を示す図である。
【図１７】本発明において、実質の信号線にクロストーク成分が影響を与えない更に他の構成例を示す図である。
【符号の説明】
１  表示パネル
２  データドライバ
３  シフトレジスタ
５  サンプリングトランジスタ
８  サンプリングコンデンサ
９  トランスファトランジスタ
１１  トランスファコンデンサ
１２  アナログバッファ
【図１】
0003582896.tif 000002
【図２】
0003582896.tif 000003
【図３】
0003582896.tif 000004
【図４】
0003582896.tif 000005
【図５】
0003582896.tif 000006
【図６】
0003582896.tif 000007
【図７】
0003582896.tif 000008
【図８】
0003582896.tif 000009
【図９】
0003582896.tif 000010
【図１０】
0003582896.tif 000011
【図１１】
0003582896.tif 000012
【図１２】
0003582896.tif 000013
【図１３】
0003582896.tif 000014
【図１４】
0003582896.tif 000015
【図１５】
0003582896.tif 000016
【図１６】
0003582896.tif 000017
【図１７】
0003582896.tif 000018